(57)【特許請求の範囲】
【請求項１】
スプリンクラー式散水装置の同一軸線上に配列した内側の円筒状ヘッド抑え体と外側の円筒状ヘッド本体からなるヘッド部分におけるヘッド抑え体に散布水供給管を接続し、このヘッド抑え体にその環状摺動面で摺動し前記軸線周りに旋回自在に設けられた前記ヘッド本体のボス部に散水パイプを放射状に複数本接続し、散布水供給管からこのスプリンクラー式散水装置のヘッド部分に供給された散布水をこれら散水パイプから冷却塔内に充填された充填材上に散布し、この充填材間を上昇してくる空気流と向流式で接触しこの散布水の蒸発による気化の潜熱作用により散布水を冷却する際に、前記各散水パイプと前記ヘッド本体のボス部との接続部分に嵌め込んだ環状の水飛散防止部材により、スプリンクラー式散水装置のヘッド部分におけるヘッド抑え体とヘッド本体との摺動面から外部に漏出する漏出水を下方へ導き、前記ヘッド抑え体を前記ヘッド本体に対して上部に位置させ、前記摺動面部を向流式冷却塔の排気口寄りとし、この上部に位置するヘッド抑え体に前記散布水供給管の先端を下向きの状態で接続し、前記摺動面を取り囲む位置で前記ヘッド抑え体の外周面に帯体を巻付け、この帯体の下面により前記摺動面から漏出する水を前記ヘッド本体のボス部方向へ導き、前記環状の水飛散防止部材内へ案内することを特徴とする向流式冷却塔用スプリンクラー式散水装置のヘッド部分における水飛散防止方法。
【請求項２】
冷却塔本体内に配置されたスプリンクラー式散水装置のヘッド部分は同一軸線上に配列した内側の円筒状ヘッド抑え体と外側の円筒状ヘッド本体からなり、このヘッド抑え体に散布水供給管が接続され、このヘッド抑え体にその環状摺動面で摺動し前記軸線周りに旋回自在に設けられたヘッド本体のボス部に散水パイプが放射状に複数本接続され、散布水供給管からこのスプリンクラー式散水装置のヘッド部分に供給された散布水をこれら散水パイプから下方の充填材上に散布し、この充填材間を上昇してくる空気流と向流式で接触しこの散布水の蒸発による気化の潜熱作用により散布水を冷却する向流式冷却塔用スプリンクラー式散水装置において、
前記各散水パイプと前記スプリンクラー式散水装置のヘッド部分における前記ヘッド本体のボス部との接続部分に環状の水飛散防止部材が嵌め込まれていると共に、前記ヘッド抑え体が前記ヘッド本体の上部に位置し、前記摺動面を向流式冷却塔の排気口寄りとし、前記ヘッド抑え体に前記散水供給管の先端が下向きの状態で接続され、前記摺動面を取り囲む位置で前記ヘッド抑え体の外周面に帯体が巻き付け固定されており、この帯体は前記摺動面から漏出する水の一部を前記ヘッド本体のボス部周面へ案内する形状としてあることを特徴とする向流式冷却塔用スプリンクラー式散水装置。
【請求項３】
前記環状の水飛散防止部材は全体リング状のカップとしてあり、このカップにおける開口部周縁は前記スプリンクラー式散水装置のヘッド本体のボス部方向に内向きに張り出していることを特徴とする請求項２記載の向流式冷却塔用スプリンクラー式散水装置。
【請求項４】
前記カップにおける前記周縁のうち、下方の一部が前記スプリンクラー式散水装置のヘッド部分方向へ舌状に大きく張り出し、その下縁は前記スプリンクラー式散水装置のヘッド部分の下方近傍にまで達していることを特徴とする請求項３記載の向流式冷却塔用スプリンクラー式散水装置。
【請求項５】
前記カップにおけるリング状の周縁の下縁部が水平に切除されていることを特徴とする請求項３記載の向流式冷却塔用スプリンクラー式散水装置。
【請求項６】
冷却塔本体内に配置されたスプリンクラー式散水装置のヘッド部分は同一軸線上に配列した内側の円筒状ヘッド抑え体と外側の円筒状ヘッド本体からなり、このヘッド抑え体に散布水供給管が接続され、このヘッド抑え体にその環状摺動面で摺動し旋回自在に設けた前記ヘッド本体のボス部に散水パイプが放射状に複数本接続され、散布水供給管からこのスプリンクラー式散水装置のヘッド部分に供給された散布水をこれら散水パイプから下方の充填材上に散布し、充填材間を上昇してくる空気流と向流式で接触しこの散布水の蒸発による気化の潜熱作用により散布水を冷却する向流式冷却塔において、
前記各散水パイプと前記スプリンクラー式散水装置のヘッド部分における前記ヘッド本体のボス部との接続部分に環状の水飛散防止部材が嵌め込まれていると共に、前記ヘッド抑え体が前記ヘッド本体の上部に位置し、前記摺動面を向流式冷却塔の排気口寄りとし、前記ヘッド抑え体に前記散水供給管の先端が下向きの状態で接続され、前記摺動面を取り囲む位置で前記ヘッド抑え体の外周面に帯体が巻き付け固定されており、前記摺動面から漏出する水の一部を前記ヘッド本体のボス部周面へ案内する形状としてあることを特徴とするスプリンクラー式散水装置を具備する向流式冷却塔。
【請求項７】
前記環状の水飛散防止部材は全体リング状のカップとしてあり、このカップにおける開口部周縁は前記スプリンクラー式散水装置のヘッド本体のボス部方向に内向きに張り出していることを特徴とする請求項６記載の向流式冷却塔。
【請求項８】
前記カップにおける前記周縁のうち、下方の一部が前記スプリンクラー式散水装置のヘッド部分方向へ舌状に大きく張り出し、その下縁は前記スプリンクラー式散水装置のヘッド部分の下方近傍にまで達していることを特徴とする請求項７記載の向流式冷却塔。
【請求項９】
前記カップにおける前記周縁のうち、下縁部が水平に切除されていることを特徴とする請求項６記載の向流式冷却塔。
【発明の詳細な説明】
【０００１】
【発明の属する技術分野】
この発明は、向流式冷却塔用スピリンクラー式散水装置におけるヘッド部分における水飛散防止方法、向流式冷却塔用スプリンクラー式散水装置及びこのスプリンクラー式散水装置を具備する向流式冷却塔に関する。
【０００２】
【従来の技術】
この種のスプリンクラー式散水装置は、書名「クーリングタワー」発行所、財団法人、省エネルギーセンター、著者名、高田秋一及び川原孝七、発行日昭和６１年１月２１日）の第１３５頁の図６、１４（ｂ）に記載されている。
【０００３】
【発明が解決しようとする課題】
このスプリンクラー式散水装置１のヘッド部分における内側の円筒状ヘッド抑え体２と外側の円筒状ヘッド本体３との環状摺動面２ａ、３ａから散布水の一部が漏出し、このヘッド本体３のボス部４に衝突し水滴となり、下方からの空気流にのり、外部へ排気される傾向がある（図８参照）。
この発明の目的は前記課題を改良した向流式冷却塔におけるスピリンクラーヘッド部分における散布水のキャリオーバを簡易に防止する方法と、向流式冷却塔におけるスプリンクラー式散水装置及びこのスプリンクラー式散水装置を具備する向流式冷却塔を市場に提供することである。
【０００４】
【課題を解決するための手段】
前記課題を解決するために、この発明はスプリンクラー式散水装置の同一軸線上に配列した内側の円筒状ヘッド抑え体と外側の円筒状ヘッド本体からなるヘッド部分におけるヘッド抑え体に散布水供給管を接続し、このヘッド抑え体にその環状摺動面で摺動し前記軸線周りに旋回自在に設けられた前記ヘッド本体のボス部に散水パイプを放射状に複数本接続し、散布水供給管からこのスプリンクラー式散水装置のヘッド部分に供給された散布水をこれら散水パイプから冷却塔内に充填された充填材上に散布し、この充填材間を上昇してくる空気流と向流式で接触しこの散布水の蒸発による気化の潜熱作用により散布水を冷却する際に、前記各散水パイプと前記ヘッド本体のボス部との接続部分に嵌め込んだ環状の水飛散防止部材により、スプリンクラー式散水装置のヘッド部分におけるヘッド抑え体とヘッド本体との摺動面から外部に漏出する漏出水を下方へ導き、前記ヘッド抑え体を前記ヘッド本体に対して上部に位置させ、前記摺動面部を向流式冷却塔の排気口寄りとし、この上部に位置するヘッド抑え体に前記散布水供給管の先端を下向きの状態で接続し、前記摺動面を取り囲む位置で前記ヘッド抑え体の外周面に帯体を巻付け、この帯体の下面により前記摺動面から漏出する水を前記ヘッド本体のボス部方向へ導き、前記環状の水飛散防止部材内へ案内することを特徴とする向流式冷却塔用スプリンクラー式散水装置のヘッド部分における水飛散防止方法である。
【０００５】
前記課題を解決するために、関連発明は冷却塔本体内に配置されたスプリンクラー式散水装置のヘッド部分は同一軸線上に配列した内側の円筒状ヘッド抑え体と外側の円筒状ヘッド本体からなり、このヘッド抑え体に散布水供給管が接続され、このヘッド抑え体にその環状摺動面で摺動し前記軸線周りに旋回自在に設けたヘッド本体のボス部に散水パイプが放射状に複数本接続され、散布水供給管からこのスプリンクラー式散水装置のヘッド部分に供給された散布水をこれら散水パイプから下方の充填材上に散布し、この充填材間を上昇してくる空気流と向流式で接触しこの散布水の蒸発による気化の潜熱作用により散布水を冷却する向流式冷却塔用スプリンクラー式散水装置において、
前記各散水パイプと前記スプリンクラー式散水装置のヘッド部分における前記ヘッド本体のボス部との接続部分に環状の水飛散防止部材が嵌め込まれていると共に、前記ヘッド抑え体が前記ヘッド本体の上部に位置し、前記摺動面を向流式冷却塔の排気口寄りとし、前記ヘッド抑え体に前記散水供給管の先端が下向きの状態で接続され、この帯体は前記摺動面を取り込む位置で前記ヘッド抑え体の外周面に帯体が巻き付け固定してあり、前記摺動面から漏出する散布水の一部を前記ヘッド本体のボス部周面へ案内する形状としてあることを特徴とする。向流式冷却塔におけるスプリンクラー式散水装置としてある。
【０００６】
前記課題を解決するために、この散水装置における前記環状の水飛散防止部材は全体リング状のカップとしてあり、このカップにおける開口部周縁は前記スプリンクラー式散水装置のヘッド本体のボス部方向に内向きに張り出していることを特徴とする。
【０００７】
前記課題を解決するために、この散水装置における前記カップにおける前記周縁のうち、下方の一部が前記スプリンクラー式散水装置のヘッド部分方向へ舌状に大きく張り出し、その下縁は前記スプリンクラー式散水装置のヘッド部分の下方近傍にまで達していることを特徴とする。
【０００８】
前記課題を解決するために、この散水装置における前記カップにおける前記周縁の下縁部が水平に切除されていることを特徴とする。前記課題を解決するために、関連発明は冷却塔本体内に配置されたスプリンクラー式散水装置のヘッド部分は同一軸線上に配列した内側の円筒状ヘッド抑え体と外側の円筒状ヘッド本体からなり、このヘッド抑え体に散布水供給管が接続され、このヘッド抑え体にその環状摺動面で摺動し旋回自在に設けた前記ヘッド本体のボス部に散水パイプが放射状に複数本接続され、散布水供給管からこのスプリンクラー式散水装置のヘッド部分に供給された散布水をこれら散水パイプから下方の充填材上に散布し、充填材間を上昇してくる空気流と向流式で接触しこの散布水の蒸発による気化の潜熱作用により散布水を冷却する向流式冷却塔において、
【０００９】
前記各散水パイプと前記スプリンクラー式散水装置のヘッド部分における前記ヘッド本体のボス部との接続部分に環状の水飛散防止部材が嵌め込まれているとともに、前記ヘッド抑え体が前記ヘッド本体の上部に位置し、前記摺動面を向流式冷却塔の排気口寄りとし、前記ヘッド抑え体に前記散水供給管の先端が下向きの状態で接続され、前記摺動面を取り囲む位置で前記ヘッド抑え体の外周面に帯体が巻き付け固定されており、前記摺動面から漏出する散布水の一部を前記ヘッド本体のボス部周面へ押し戻し案内する形状としてあることを特徴とするスプリンクラー式散水装置を具備する向流式冷却塔とする。
【００１０】
前記課題を解決するために、この向流式冷却塔における前記環状の水飛散防止部材は全体リング状のカップとしてあり、このカップにおける開口部周縁は前記スプリンクラー式散水装置のヘッド本体のボス部方向に内向きに張り出していることを特徴とする。
【００１１】
前記課題を解決するために、この向流式冷却塔における前記カップにおける前記周縁のうち、下方の一部が前記スプリンクラー式散水装置のヘッド部分方向へ舌状に大きく張り出し、その下縁は前記スプリンクラー式散水装置のヘッド部分の下方近傍にまで達していることを特徴とする。
【００１２】
前記課題を解決するために、この向流式冷却塔における前記カップにおけるリング状の周縁のうち、下縁部が水平に切除されていることを特徴とする。
【００１３】
【実施の形態】
実施の形態１
この形態は請求項２、３記載の発明の代表的な実施の形態であり、請求項６、７記載の発明の代表的な実施の形態と併せて説明する。図１、図２及び図３において、Ａは向流式角形冷却塔（図示せず）におけるスプリンクラー式散水装置を示す。この冷却塔の本体内に配置されたスプリンクラー式散水装置Ａのヘッド部分は同一軸線上に配列した内側の円筒状ヘッド抑え体１０と外側の円筒状ヘッド本体１１からなり、このヘッド抑え体１０に散布水供給管１２が接続され、このヘッド抑え体１０にその円筒状摺動面１０ａ、１１ａで摺動し前記軸線周りに旋回自在にヘッド本体１１が設けてある。このヘッド本体１１のボス部１３に散水パイプ１４が放射状に複数本接続され、散布水供給管１２からこのスプリンクラー式散水装置Ａのヘッド部分に供給された散布水をこれら散水パイプ１４から下方の充填材（図示せず）上に散布し、この充填材間を上昇してくる空気流と向流式で接触しこの散布水の蒸発による気化の潜熱作用により散布水を冷却する。この散水パイプ１４から散布される散布水の反力で散水パイプ１４及びヘッド本体１１はその摺動面１０ａ、１１ａでヘッド抑え体１０と嵌合して、ヘッド抑え体１０に対して水平面内で旋回する。前記のヘッド本体１２内に位置する円筒上ヘッド抑え体１０の円筒部には、散水パイプ１４の内端部に対向して、大きな通水窓が数箇設けてある。このようなスプリンクラー式散水装置Ａは公知のものと同じである。この充填材は開放型の熱交換器としてある。この充填材は開放型の熱交換器としてある。
【００１４】
前記各散水パイプ１４と前記スプリンクラー式散水装置Ａのヘッド部分における前記ヘッド本体１１のボス部１３との接続部分に環状の水飛散防止部材の一種であるカップ２０が嵌め込まれ、ロックナット３０で固定されている。このカップ２０は、ロックナット３０と一体としてある場合もある。この際、前記ヘッド抑え体１０が前記ヘッド本体１１の上部に位置し、前記摺り動面１０ａ、１１ａを向流式冷却塔の排気口（図示せず）寄りとし、前記ヘッド抑え体１０に前記散水供給管１２の先端が下向きの状態で接続され、前記摺動面１０ａ、１１ａを取り囲む位置で前記ヘッド抑え体１０の外周面に帯体１５が巻き付けられ、締付バンド１６によってこの抑え体１０の外周面に固定してあり、前記摺動面１０ａ、１１ａから漏出水の一部を前記ヘッド本体１１のボス１３部周面へ案内する形状としてある。前記カップ２０は全体リング状で、その開口部の周縁２１は前記スプリンクラー式散水装置Ａのヘッド本体１１のボス部方向に内向きに張り出している（図１、図２及び図３参照）。前記充填材は開放型の熱交換器としてあり、前記冷却塔は角形の冷却塔としてある。前記ヘッド抑え体１０と前記散水供給管１２の接続部分全周及び帯体１５の巻付部分は、シリコン材で水密処理されている。この形態の作用を次に説明する。
前記のスプリンクラー式散水装置Ａのヘッド部分に供給された水をこれら散水パイプ１４から冷却塔内に充填された充填材上に散布し、この充填材Ｃ間を上昇してくる空気流と向流式で接触しこの散布水の蒸発による気化の潜熱作用により散布水を冷却する。
この際、前記各散水パイプ１４と前記スプリンクラー式散水装置Ａのヘッド部分における前記ヘッド本体１１のボス部との接続部分に嵌め込んだ前記カップ２０により、スプリンクラー式散水装置Ａのヘッド部分におけるヘッド抑え体１０とヘッド本体１１との摺動面１０ａ、１１ａから漏出した水を下方へ導き、上昇してくる空気流に乗り冷却塔排気口から外方にキャリオーバするのを防止する。
これに加えて、前記ヘッド抑え体１０を前記ヘッド本体１１に対して上部に位置させ、前記摺動面１０ａ、１１ａを向流式冷却塔の排気口寄りとし、この上部に位置するヘッド抑え体１０に前記散布水供給管１２の先端を下向きの状態で接続し、前記摺動面１０ａ、１１ａを取り囲む位置で前記ヘッド抑え体１１の外周面に帯体１５を巻付け、この帯体１５の下面により前記摺動面１０ａ、１１ａから漏出する水の一部を前記ヘッド本体１１のボス部１３方向へ導き、前記カップ２０へ案内する。殊に、前記カップは全体リング状で、その開口部の周縁は前記スプリンクラー式散水装置Ａのヘッド部分方向に内向きに張り出しているため、前記摺動面から漏出する水のキャリオーバをその張出し部で阻止する。
【００１５】
実施の形態２
この形態は請求項４記載の発明の代表的な実施の形態であり、請求項８記載の発明の代表的な実施の形態と併せて説明する。実施の形態１と異なる構成は次の通りである。前記カップ２０における前記周縁２１のうち、下方の一部２１ａが前記スプリンクラー式散水装置のヘッド部分方向へ舌状に大きく張り出し、その下縁２１ｂは前記スプリンクラーヘッド部分の下方近傍にまで達している（図４及び図５参照）。その他、実施の形態１と同一の符号は同一の構成である。この形態の作用は、実施の形態１の作用に加えて、下記の作用もなす。前記カップ２０における前記周縁２１のうち、下方の一部２１ａが前記スプリンクラー式散水装置Ａのヘッド部分方向へ舌状に大きく張り出し、その下縁２１ｂは前記スプリンクラー式散水装置Ａのヘッド部分の下方近傍にまで達しているため、その部分で前記摺動面から漏出する水の飛散を防止し、下方へ戻す。
【００１６】
実施の形態３
この形態は請求項５記載の発明の代表的な実施の形態であり、請求項９記載の発明の代表的な実施の形態と併せて説明する。実施の形態１と異なる構成は次の通りである。前記カップ２０における前記周縁２１のうち、下縁部２１ｃが水平に切除されている（図６参照）。その他、実施の形態１と同一の符号は同一の構成である。この形態の作用は実施の形態１の作用に加えて次の作用をなす。前記カップ２０における前記周縁２１のうち、下縁部２１ｃが水平に切除されているため、その切除した周縁から充填材上へ前記摺動面から漏出する水を流下させ、その飛散を防止する。
なお、前記実施の形態１においては前記ヘッド抑え体１０が前記ヘッド本体１１の上部に位置し、前記摺り動面１０ａ、１１ａを向流式冷却塔Ｂの排気口Ｄ寄りとし、前記ヘッド抑え体１０に前記散水供給管１２の先端が下向きの状態で接続したが、散水供給管１２は上向きでもよい。
【００１７】
【発明の効果】
請求項１記載の発明においては、前記水飛散防止用部材により、前記摺動面から漏出する水を下方へ導き、上昇してくる空気流に乗り冷却塔排気口から外方にキャリオーバするのを未然に防止できる。この結果、在郷軍人病の細菌が大気に水滴と共に飛散し、この細菌を含む外をダクトを通り、吸引しビル内を空気調和する際に、ビル全体がこの細菌で汚染されるのを適的確に防止できる。
殊に、ヘッド抑え体がヘッド本体の上部に位置し、摺動面が排気口側に位置する場合に水滴のキャリオーバを適確に阻止できる。
請求項２、３、４、５記載の発明は、請求項１記載の方法発明を実施でき、同様の効果を奏する。
請求項６、７、８、９記載の発明は、請求項１記載の方法発明を実施でき、同様の効果を奏する。
殊に、請求項３、７記載の発明においては、前記カップは全体リング状で、その周縁は前記スプリンクラー式散水装置のヘッド部分方向に内向きに張り出していることを特徴としてあるため、前記摺動面から漏出する水のキャリオーバをその張出し部で阻止する。
また、請求項４、８記載の発明においては、前記カップにおける前記周縁のうち、下方の一部が前記スプリンクラー式散水装置のヘッド部分方向へ舌状に大きく張り出し、その下縁は前記スプリンクラー式散水装置のヘッド部分の下方近傍にまで達していることを特徴としてあるため、その部分で前記摺動面から漏出する水の飛散を防止でき、下方へ戻すことができる。
特に、請求項５、９記載の発明においては、前記カップにおける前記リング状のうち、下縁部が水平に切除されていることを特徴としてあるため、その切除した周縁から前記充填材上へ前記摺動面から漏出する水を流下させ、その飛散を防止する。
【図面の簡単な説明】
【図１】実施の形態１の概略正面図である。
【図２】図１の要部分解斜視図である。
【図３】図１の要部拡大半断面図である。
【図４】実施の形態２の図３同様の断面図である。
【図５】図４におけるカップの斜視図である。
【図６】実施の形態３のカップの斜視図である。
【図７】その他の実施の形態の概略正面図である。
【図８】従来例の半断面図である。
【符号の説明】
２０    カップ
【図１】
0003628775.tif 000002
【図２】
0003628775.tif 000003
【図３】
0003628775.tif 000004
【図４】
0003628775.tif 000005
【図５】
0003628775.tif 000006
【図６】
0003628775.tif 000007
【図７】
0003628775.tif 000008
【図８】
0003628775.tif 000009